(57)【特許請求の範囲】
【請求項１】
測量機用の三脚に載置されて機械中心が測点の真上となるように支持された測量用ＧＰＳアンテナの機械高を求める測量用ＧＰＳアンテナの機械高測定装置であって、摺動可能な外筒と内筒からなる伸縮ポール部を有し、前記内外筒の一方の筒の一方の端部には前記測量用ＧＰＳアンテナを取付ける取付部を有し、他方の筒の一方の端部には石突きを備えて、前記伸縮ポール部に前記測定装置の全長表示部が設けられた移動局測量用ＧＰＳアンテナのアンテナポールと、該アンテナポールの取付部に前記測量用ＧＰＳアンテナに代えて装着され、三脚に載置固定された固定局測量用ＧＰＳアンテナのグランドプレーンの外周縁所定位置に揺動可能に連結される連結部材と、から構成され、該連結部材は、アンテナポールの取付部に装着される装着部を有する本体と、前記本体にピン連結又は玉継手を介し連結されて固定局測量用ＧＰＳアンテナのグランドプレーンの外周縁に係合する係合部が形成された連結部と、から構成され、前記石突きを測点に位置させると共に、前記グランドプレーンの外周縁に連結部材の連結部に形成された係合部を係合させて、連結部材のグランドプレーンに対する揺動支点を前記測量用ＧＰＳアンテナの機械中心を通る水平線上に位置させたことを特徴とする測量用ＧＰＳアンテナの機械高測定装置。
【請求項２】
測量機用の三脚に載置されて機械中心が測点の真上となるように支持された測量用ＧＰＳアンテナの機械高を求める測量用ＧＰＳアンテナの機械高測定装置であって、摺動可能な外筒と内筒からなる伸縮ポール部を有し、前記内外筒の一方の筒の一方の端部には前記測量用ＧＰＳアンテナを取付ける取付部を有し、他方の筒の一方の端部には石突きを備えて、前記伸縮ポール部に前記測定装置の全長表示部が設けられた移動局測量用ＧＰＳアンテナのアンテナポールと、前記アンテナポールの取付部に前記測量用ＧＰＳアンテナに代えて装着され、三脚に載置固定された固定局測量用ＧＰＳアンテナのグランドプレーンの外周縁所定位置に揺動可能に連結される連結部材とから構成され、該連結部材は、アンテナポールの取付部に装着される装着部を有する本体と、前記本体の端部に設けられて固定局測量用ＧＰＳアンテナのグランドプレーンの外周縁に形成された係合切欠部に係合する係合部が形成された連結部と、から構成され、前記石突きを測点に位置させると共に、前記係合切欠部に連結部材の連結部に形成された係合部を係合させて、連結部材のグランドプレーンに対する揺動支点を前記測量用ＧＰＳアンテナの機械中心を通る水平線上に位置させたことを特徴とする測量用ＧＰＳアンテナの機械高測定装置。
【請求項３】
前記伸縮ポール部は、外筒の一方の端部に雄ねじ部を有し、該雄ねじ部には締着部材が螺合されて、該締着部材により外筒と内筒を固定することを特徴とする請求項１，２いずれか記載の測量用ＧＰＳアンテナの機械高測定装置。
【発明の詳細な説明】
【０００１】
【発明の属する技術分野】
本発明は測量用ＧＰＳアンテナの機械高測定装置に係り、特に三脚等によって保持された固定局測量用ＧＰＳアンテナにおいて、アンテナ機械高を測定する測量用ＧＰＳアンテナの機械高測定装置に関する。
【０００２】
【従来の技術】
従来よりＧＰＳ衛星を用いた測量方法の１つとして、測量用ＧＰＳアンテナと受信機を２組用意して、１組は固定局として既知点上に三脚を介して測量用ＧＰＳアンテナを設置し、もう１組は移動局として未知点にポールを介して測量用ＧＰＳアンテナを設置し、それぞれ４つ以上のＧＰＳ衛星から電波を受信することで未知点の座標値を求める方法がある。
【０００３】
この場合、未知点の座標値を算出する上で測点から測量用ＧＰＳアンテナまでの距離即ちアンテナ機械高を補正値として入力する必要がある。従来アンテナ機械高の測定は、移動局については、ポールに設けられたアンテナ機械高を示す目盛を読み取ることで行っており、その作業はそれ程面倒ではない。
【０００４】
しかし、固定局の方は、図１１に示すように、測量用ＧＰＳアンテナ１１０は、三脚１２０に固定された整準台１３０で支持された状態にして使用されており、このとき測量用ＧＰＳアンテナ１１０は、整準台１３０によって水平状態に固定され、かつ求心望遠鏡１４０によって地上の測点Ｍの鉛直上方に測量用ＧＰＳアンテナ１１０の機械中心Ｃが位置するように位置決めされている。
【０００５】
そして、測量用ＧＰＳアンテナ１１０の機械中心Ｃは、測量用ＧＰＳアンテナ１１０の外周に設けられているフランジ状のグランドプレーン１１０ａの高さに一致している。
従来において、測量用ＧＰＳアンテナ１１０のアンテナ機械高Ｈの測定、即ち測量用ＧＰＳアンテナ１１０の機械中心Ｃから地上の測点Ｍまでの高さを測定するには、グランドプレーン１１０ａから地上までの鉛直距離Ｈを巻尺で測定し、この値Ｈをアンテナ機械高としていた。
【０００６】
【発明が解決しようとする課題】
しかし巻き尺による測定方法は、測量用ＧＰＳアンテナ１１０から測点Ｍまでの空隙があるために、巻き尺が曲がったりして測定精度が悪いという問題があった。また、通常測点Ｍは杭上の測標の上面にあり、地上より数センチ上にあるため、グランドプレーン１１０ａの周縁から地表に向けて巻き尺を伸ばしたときはこの分誤差がでてしまうという問題があった。
【０００７】
さらに巻き尺の一方をグランドプレーン１１０ａの周縁に固定して、地表まで巻き尺を伸ばしそこで目盛を読み取るという作業は、一人で行うには大変骨の折れる作業であった。
【０００８】
そして、従来の測定方法では、測量用ＧＰＳアンテナ１１０の機械中心Ｃから地上の測点Ｍまでの距離を直接測定しているわけではなく、グランドプレーン１１０ａから地上までの鉛直距離Ｈを測ることで近似させており、アンテナ機械高の正確な値を測ることは不可能であった。
【０００９】
そこで正確な値を知るためには測定具が必要となるが、測定システムの器具が大がかりになると、巻き尺に比して持ち運びに不都合がある。このためアンテナ機械高の正確な値を測ると共に、持ち運びが便利なアンテナ機械高測定装置への要請がある。
【００１０】
本発明の目的は、測量機用の三脚に載置される測量用ＧＰＳアンテナにおいて、測量用ＧＰＳアンテナの機械中心を通る水平線上に位置する点から測点までの距離を直接測定することにより、正確なアンテナ機械高を得ることができ、持ち運びが便利で、且つ１人でもアンテナの機械高測定作業を容易に行うことを可能にする、測量用ＧＰＳアンテナの機械高測定装置を提供することにある。
【００１１】
【課題を解決するための手段】
本願請求項１に係る測量用ＧＰＳアンテナの機械高測定装置は、測量機用の三脚に載置されて機械中心が測点の真上となるように支持された測量用ＧＰＳアンテナの機械高を求める測量用ＧＰＳアンテナの機械高測定装置であって、摺動可能な外筒と内筒からなる伸縮ポール部を有し、前記内外筒の一方の筒の一方の端部には前記測量用ＧＰＳアンテナを取付ける取付部を有し、他方の筒の一方の端部には石突きを備えて、前記伸縮ポール部に前記測定装置の全長表示部が設けられた移動局測量用ＧＰＳアンテナのアンテナポールと、該アンテナポールの取付部に前記測量用ＧＰＳアンテナに代えて装着され、三脚に載置固定された固定局測量用ＧＰＳアンテナのグランドプレーンの外周縁所定位置に揺動可能に連結される連結部材と、から構成され、該連結部材は、アンテナポールの取付部に装着される装着部を有する本体と、前記本体にピン連結又は玉継手を介し連結されて固定局測量用ＧＰＳアンテナのグランドプレーンの外周縁に係合する係合部が形成された連結部と、から構成され、前記石突きを測点に位置させると共に、前記グランドプレーンの外周縁に連結部材の連結部に形成された係合部を係合させて、連結部材のグランドプレーンに対する揺動支点を前記測量用ＧＰＳアンテナの機械中心を通る水平線上に位置させたことを特徴とする。
【００１２】
本願請求項２に係る測量用ＧＰＳアンテナの機械高測定装置は、測量機用の三脚に載置されて機械中心が測点の真上となるように支持された測量用ＧＰＳアンテナの機械高を求める測量用ＧＰＳアンテナの機械高測定装置であって、摺動可能な外筒と内筒からなる伸縮ポール部を有し、前記内外筒の一方の筒の一方の端部には前記測量用ＧＰＳアンテナを取付ける取付部を有し、他方の筒の一方の端部には石突きを備えて、前記伸縮ポール部に前記測定装置の全長表示部が設けられた移動局測量用ＧＰＳアンテナのアンテナポールと、前記アンテナポールの取付部に前記測量用ＧＰＳアンテナに代えて装着され、三脚に載置固定された固定局測量用ＧＰＳアンテナのグランドプレーンの外周縁所定位置に揺動可能に連結される連結部材とから構成され、該連結部材は、アンテナポールの取付部に装着される装着部を有する本体と、前記本体の端部に設けられて固定局測量用測量用ＧＰＳアンテナのグランドプレーンの外周縁に形成された係合切欠部に係合する係合部が形成された連結部と、から構成され、前記石突きを測点に位置させると共に、前記係合切欠部に連結部材の連結部に形成された係合部を係合させて、連結部材のグランドプレーンに対する揺動支点を前記測量用ＧＰＳアンテナの機械中心を通る水平線上に位置させたことを特徴とする。
【００１３】
なお、前記伸縮ポール部は、外筒の一方の端部に雄ねじ部を有し、該雄ねじ部には締着部材が螺合されて、該締着部材により外筒と内筒を固定すると好適である。
【００１４】
【発明の実施の形態】
本発明に係る測量用ＧＰＳアンテナの機械高測定装置Ｓは、測量機用の三脚２０に載置されている測量用ＧＰＳアンテナ１０の機械高Ｈ１を求めるための装置である。この測量用ＧＰＳアンテナ１０は、機械中心Ｃが測点Ｍの真上となるように三脚２０上に支持されている。
【００１５】
測量用ＧＰＳアンテナの機械高測定装置Ｓは、移動局測量用ＧＰＳアンテナのアンテナポール６０と、連結部材７０とから形成されている。アンテナポール６０は、伸縮ポール部６１を有し、伸縮ポール部６１は、摺動可能な外筒６１ｂと内筒６１ａから構成されている。
【００１６】
内筒６１ａ或いは外筒６１ｂのうち、一方の筒の一方の端部には、測量用ＧＰＳアンテナ１０を取付けるための取付部６２が設けられている。また、他方の筒の一方の端部には石突き６４を備えている。そして、伸縮ポール部６１には測量用ＧＰＳアンテナの機械高測定装置Ｓの全長を表示する表示部６６が設けられている。
【００１７】
アンテナポール６０の取付部６２に測量用ＧＰＳアンテナ１０に代えて、連結部材７０を装着する。この連結部材７０は、固定局において三脚２０に載置固定された測量用ＧＰＳアンテナ１０のグランドプレーン１２の外周縁所定位置に揺動可能に連結されるものである。
【００１８】
連結部材７０は、本体７２と、連結部７１とから構成されており、本体７２には装着部７３が設けられており、この装着部７３を介して本体７２をアンテナポール６０の取付部６２に装着させる。
【００１９】
また本体７２には、ピン連結又は玉継手を介して、連結部７１が連結されており、この連結部７１には、固定局測量用のＧＰＳアンテナ１０のグランドプレーン１２の外周縁に係合する係合部７１ｂが形成されている。
【００２０】
測量用ＧＰＳアンテナ１０の機械高Ｈ１を測定するためには、石突き６４を測点Ｍに位置させると共に、グランドプレーン１２の外周縁に連結部材７０の連結部７１に形成された係合部７１ｂを係合させて、連結部材７０のグランドプレーン１２に対する揺動支点８０を測量用ＧＰＳアンテナ１０の機械中心Ｃを通る水平線上に位置させる。
【００２１】
上記のように、固定局における三脚２０に載置される測量用ＧＰＳアンテナ１０において、移動局測量用のアンテナポール６０に連結部材７０を装着させた測量用ＧＰＳアンテナの機械高測定装置Ｓを使用することにより、測量用ＧＰＳアンテナの機械中心Ｃを通る水平線上に位置する点から測点Ｍまでの距離を直接測定して正確なアンテナ機械高を得ることができ、持ち運びが便利で、且つ１人でもアンテナの機械高測定作業を容易に行うことができる。
【００２２】
【実施例】
以下、本発明の一実施例を図面に基づいて説明する。なお、以下に説明する部材，配置等は本発明を限定するものでなく、本発明の趣旨の範囲内で種々改変することができるものである。
【００２３】
図１乃至図３は本発明の一実施例を示すものであり、図１は移動局における測量用ＧＰＳアンテナのアンテナポールの側面図、図２は固定局において測量用ＧＰＳアンテナの機械高測定を説明する側面図、図３は連結部材の斜視図である。
【００２４】
本例における測量用ＧＰＳアンテナ１０は、図１及び図２で示すように、マイクロストリップ型のアンテナ本体１１と、このアンテナ本体１１の外周に一体化された円盤型のグランドプレーン１２とから構成されている。このグランドプレーン１２は、金属板で形成されており、アンテナ本体１１が、地面で反射した電波の影響を受けにくくするためのものである。
【００２５】
また測量用ＧＰＳアンテナ１０には、係合突起１３が形成されている。この係合突起１３は、Ｖ溝が周設された円筒状の突起であり、測量用ＧＰＳアンテナ１０の底面において、前記係合突起１３の中心１３ａが、測量用ＧＰＳアンテナ１０の機械中心Ｃの鉛直線上にくるように配置されている。
【００２６】
移動局における測量用ＧＰＳアンテナ１０は、図１で示すように、アンテナポール６０によって支持されている。
【００２７】
このアンテナポール６０は、伸縮ポール部６１と、この伸縮ポール部６１から連続して形成される取付部６２と、表示部６６とを主要構成要素としている。
【００２８】
前記伸縮ポール部６１は、内筒６１ａと外筒６１ｂとから構成される伸縮可能な長尺部材である。
【００２９】
前記内筒６１ａは円筒状の長尺部材であり、下端に石突き６４が形成されて、測定地点に対して垂直に配設されている。
【００３０】
前記外筒６１ｂは前記内筒６１ｂの上方に位置しており、中空円筒状の長尺部材であり、外筒６１ｂの内径は内筒６１ａの径よりも若干大きめに形成されており、外筒６１ｂへ内筒６１ａが挿入して、摺動可能に形成されている。
【００３１】
また本例の内筒６１ａの側面には直線目盛６１ｃが付されている。
【００３２】
外筒６１ｂの下端部には雄ねじ部６１ｄが形成されると共に、外筒６１ｂの下端部には縦スリ割り６１ｅが形成され、雄ねじ部６１ｄに螺合された締着部材としてのロックナット６５を締め付けることで外筒６１ｂと内筒６１ａを緊締し、伸縮ポール部６１の長さを所定の長さに保持する。
【００３３】
外筒６１ｂの側面には、直線目盛６１ｃが露呈する表示部６６が設けられている。表示部６６には凸レンズ６７が設けられて、直線目盛６１ｃが拡大されて見えるようになっている。凸レンズ６７には指標６７ａが設けられており、この指標６７ａ上の直線目盛６１ｃは、測量用ＧＰＳアンテナの機械高測定装置Ｓの全長ｈ１と、測量用ＧＰＳアンテナの底部から機械中心Ｃまでの距離ｈ２を加えた値を示すように構成されている。
【００３４】
本例のアンテナポール６０の取付部６２は、中空円筒状で、前記外筒６１ｂの上端部に連続して形成されている。
【００３５】
係合部６２は上方に向いて開口しており、係合部６２の側面にはねじ６３が形成されている。このねじ６３のねじ係合部が、係合部６２の側面に設けられた孔に螺合して配設されている。
【００３６】
次に移動局測量用ＧＰＳアンテナ１０におけるアンテナ機械高測定作業について説明する。
【００３７】
まず、測量用ＧＰＳアンテナ１０の底面に設けられた係合突起１３へ、アンテナポール６０の取付部６２を係合させる。このとき、取付部６２の開口部を係合突起１３へ被せるようにして取付部６２を測量用ＧＰＳアンテナ１０の底部に接合させる。
【００３８】
このとき係合突起１３の中心１３ａと、アンテナポール６０の石突き６４を結ぶ線が直線になるように、アンテナポール６０の取付部６２と係合突起１３を連結させる。
【００３９】
なお、係合突起１３にはＶ溝が周設されているので、取付部６２に設けられたねじ６３を締めることにより、ねじ６３のねじ係合部を係合突起１３のＶ溝に一致させ、ねじ６３を係合突起１３に係止させる。これにより、取付部６２と測量用ＧＰＳアンテナ１０は連結され、アンテナポール６０によって測量用ＧＰＳアンテナ１０が支持される。
【００４０】
上記のように、アンテナポール６０を、測量用ＧＰＳアンテナ１０に連結して、外筒６１ｂを保持することにより、内筒６１ａは自重で下方に懸吊状態となる。
【００４１】
次に、基準点である測点Ｍ上に、内筒６１ａに設けられた石突き６４を一致させる。
【００４２】
内筒６１ａと、外筒６１ｂとは摺動自在に形成されているので、内筒６１ａと外筒６１ｂとを摺動させて、伸縮ポール部６１が測量用ＧＰＳアンテナ１０の機械中心Ｃと測点Ｍとを結ぶ鉛直線上にくるように調整する。この際アンテナポール６０に設けられた気泡管（図示せず）を見ながら作業を行う。
【００４３】
そして、ロックナット６５を締めて、伸縮ポール部６１を固定する。このとき、外筒６１ｂの表示部６６に表示された指標６７ａ上の直線目盛６１ｃがアンテナ機械高Ｈ１となる。
【００４４】
このようにして、測量用ＧＰＳアンテナ１０のアンテナポール６０を連結させることにより、測量用ＧＰＳアンテナ１０を移動局において支持すると共に、測量用ＧＰＳアンテナのアンテナ機械高Ｈ１を得ることができる。
【００４５】
次に、固定局における測量用ＧＰＳアンテナ１０について説明する。固定局における測量用ＧＰＳアンテナ１０は、図２で示すように、架台としての測量用の三脚２０によって支持されている。なお、本例において前記実施例と同様部材等には同一符号を付してその説明を省略する。
【００４６】
本例の架台としての測量用の三脚２０は、図２で示すように、脚頭２１に整準台３０が載置固定されている。この整準台３０の上部には連結部３１を介して、中空円筒状の係合部３２が設けられている。
【００４７】
また係合部３２は上方に向けて開口しており、係合部３２の側面にはねじ３３が形成されている。このねじ３３のねじ係合部が、係合部３２の側面に設けられた孔に螺合して配設されている。
【００４８】
また、上記整準台３０の側部には測量用ＧＰＳアンテナ１０を測点Ｍ上に位置決めするために、求心望遠鏡４０が設けられている。
そしてアンテナ本体１１の受信位置（機械中心Ｃ）と求心望遠鏡の視準中心は一致させるように構成されている。
【００４９】
固定局における測量用ＧＰＳアンテナ１０は、前記三脚２０における整準台３０の係合部３２の開口部を、測量用ＧＰＳアンテナ１０の底面に設けられた係合突起１３へ被せるようにして係合させることにより、三脚２０上に載置されている。
【００５０】
そして係合突起１３にはＶ溝が周設されており、係合部３２に設けられたねじ３３を締めることにより、ねじ３３のねじ係合部をＶ溝に一致させて、ねじ３３をを係合突起１３に係止させて、係合部３２と測量用ＧＰＳアンテナ１０を連結させている。
【００５１】
そして測量用ＧＰＳアンテナ１０を測点Ｍ上に設置する。三脚２０の整準台３０には求心望遠鏡４０が設けられているので、この求心望遠鏡４０を使って、測量用ＧＰＳアンテナ１０の機械中心Ｃが測点Ｍの真上（即ち測点Ｍの鉛直線上）にくるようする。
【００５２】
固定局における測量用ＧＰＳアンテナの機械高の測定は、図２で示すように、測量用ＧＰＳアンテナの機械高測定装置Ｓを用いて行なう。固定局における測量用ＧＰＳアンテナ１０の機械高測定装置Ｓは、移動局における測量用ＧＰＳアンテナ１０を支持するアンテナポール６０を用いて構成されるもので、伸縮可能な長尺部材６０と、この長尺部材６０に装着される連結部材７０と、を構成要素とする。
【００５３】
連結部材７０は、図３で示すように、連結部７１と、本体７２と、装着部としての係合突起７３と、を主要構成要素としている。
【００５４】
前記連結部７１は、一方の端部には二股に分かれた壁部７４，７４が形成されており、この壁部７４，７４と反対側の端部には、水平方向に水平スリット７１ｂが形成されている。この水平スリット７１ｂは測量用ＧＰＳアンテナ１０のグランドプレーン１２との係合部としてのスリットであり、測量用ＧＰＳアンテナ１０のグランドプレーン１２と係合できるように形成されている。
【００５５】
前記壁部７４，７４には、貫通孔７１ａが形成されている。この孔７１ａは、後述するように前記水平スリット７１ｂを測量用ＧＰＳアンテナ１０のグランドプレーン１２に係合したときに、孔７１ａからグランドプレーン１２と面一の面までの距離ｈ４が、測量用ＧＰＳアンテナ１０の機械中心Ｃからグランドプレーン１２の表面までの距離に等しくなるように形成される。
【００５６】
即ち前記壁部７４，７４における孔７１ａは、測量用ＧＰＳアンテナ１０の機械中心Ｃを通る水平線上に位置するように形成される。
【００５７】
本例の連結部材７０の本体７２は、円筒状に形成されており、上端にピン連結部７５が形成されている。このピン連結部７５は前記壁部７４，７４に位置して、揺動可能に係合できるように形成されている。
【００５８】
即ち上記ピン連結部７５には、ピン連結部７５を貫通する孔（図示せず）が設けられており、該孔の中心線が、本体７２の長手方向の中心線と交差するように形成されている。そしてこのピン連結部７５に形成された孔は、壁部７４，７４に設けられた孔７１ａと整合するように形成されている。
【００５９】
また、連結部材７０の本体７２の底部から前記ピン連結部７５に設けられた孔までの距離ｈ３は、測量用ＧＰＳアンテナ１０の底部から機械中心Ｃまでの距離ｈ２と等しくなるように形成されている。
【００６０】
上記本体７２の下端部には、連続して装着部としての係合突起７３が形成されている。この係合突起７３の径は、前記本体７２の径よりも小さめの円筒形に形成され、周囲にはＶ溝が設けられている。
【００６１】
次に連結部材７０の連結部７１と、本体７２との組付けについて説明する。まず、ピン連結部７５を二股に分かれた壁部７４，７４に位置させる。
【００６２】
そしてピンを、壁部７４，７４に設けられた孔７１ａとピン連結部７５に設けられた孔へ挿通する。このようにして、連結部７１と本体７２が揺動可能に連結される。よってこのピンは、連結部７１と、本体７２との揺動支点８０となる。
【００６３】
次にアンテナポール６０に連結部材７０を装着して、固定局における測量用ＧＰＳアンテナ機械高の測定装置Ｓを形成する方法について説明する。まず、連結部材７０の係合突起７３へ、アンテナポール６０の取付部６２の開口部を被せるようにして係合する。
【００６４】
このとき係合突起７３の底部７３ａの中心と、アンテナポール６０の石突き６４を結ぶ線が直線になるように、アンテナポール６０と連結部材７０を連結させる。
【００６５】
係合突起７３にはＶ溝が周設されているので、取付部６２に設けられたねじ６３を締めることにより、ねじ６３のねじ係合部をＶ溝に一致させて、ねじ６３を係合突起７３に係止させて、取付部６２と連結部材７０を連結させる。
【００６６】
次に前記測量用ＧＰＳアンテナ機械高の測定装置Ｓを使って固定局におけるアンテナ機械高Ｈ１を測定する方法について説明する。
【００６７】
まず、測量用ＧＰＳアンテナの機械高測定装置Ｓにおける、アンテナポール６０の下端部に設けられた石突き６４を、基準点である測点Ｍ上に一致させる。
【００６８】
そしてアンテナポール６０の伸縮ポール部６１において、内筒６１ａと外筒６１ｂとを摺動させて、伸縮ポール部６１の長さを自由に調節し、連結部材７０の連結部７１に設けた水平スリット７１ｂを、測量用ＧＰＳアンテナ１０のグランドプレーン１２の外周縁部に近づけて係合させる。そして、ロックナット６５を締めて、伸縮ポール部６１を固定する。
【００６９】
図２に示すように、連結部材７０の本体７２底部から揺動支点８０までの距離ｈ３は、測量用ＧＰＳアンテナ１０の底部から機械中心Ｃまでの距離ｈ２に等しく形成されているから、表示部６６に示される数値は、アンテナポール６０の全長ｈ１に上記距離ｈ２を加えた値、即ちアンテナポール６０の全長ｈ１に距離ｈ３を加えた値であり、これは石突き６４から揺動支点８０までの長さＬ１を示していることとなる。
【００７０】
また、連結部７１の水平スリット７１ｂの始点７１ｃから揺動支点８０までの長さＬ２２は既知の値であり、グランドプレーン２０の半径Ｌ２１も同じく既知の値である。よって機械中心Ｃから揺動支点８０までの距離Ｌ２はＬ２＝Ｌ２１＋Ｌ２２として求められる。
【００７１】
上記算出された値より、次の式によりアンテナ機械高Ｈ１を求めることができる。
【００７２】
【式１】
0003677352.tif 000002
【００７３】
なお、予め長さＬ１に対応するアンテナ機械高Ｈ１を表に記載しておくことで、この表により、斜辺の長さＬ１を測るだけで、アンテナ機械高Ｈ１を求めることができる。
【００７４】
図４及び図５は連結部材７０の他の例を示す斜視図であり、連結部７１及び本体７２における他の形状を示している。
【００７５】
図３で示す実施例では、連結部材７０の本体７２に形成されるピン連結部７５を連結部７１の壁部７４，７４で挟持するとともに、ピンで揺動可能にピン連結した例を示したが、図４に示す連結部材７０は、連結部７１に円弧状の切欠きが形成され、この切欠きに、本体７２の上部に連続して形成された玉連結部７８を圧入して揺動可能に連結する。
【００７６】
図５で示す連結部材７０は、ピン連結部７５は連結部７１に連続して形成されており、本体７２に二股に分かれた壁部７４，７４が形成されている。この壁部７４，７４にピン連結部７５を位置させて、ピンによって連結部７１と本体７２とを揺動可能に連結する。
【００７７】
図６は連結部材７０のさらに他の例を示す斜視図であり、測量用ＧＰＳアンテナ１０のグランドプレーン１２の周縁部に係合する連結部の他の形状を示している。
【００７８】
本例における連結部材７０は、本体７２の上端部に、くびれ部７６と、玉部７７とが一体に形成されて、連結部７１を形成した構成となっている。
【００７９】
また、本体７２の下端部には、連続して係合突起７３が形成されている。この係合突起７３の径は、前記本体７２の径よりも小さめに形成されており、係合突起７３は本体７２よりも小さめの円筒形に形成され、周囲にはＶ溝が設けられている。
【００８０】
一方、図７で示すようにグランドプレーン２０の外周縁には、周方向等間隔に切欠き２２が形成される。この切欠き２２は、前記くびれ部７６を係合させるためのものであり、円弧状に形成されている。
【００８１】
また本体７２の底部から玉部７７の揺動中心８０までの距離ｈ３は前記実施例と同様に測量用ＧＰＳアンテナ１０の底部から機械中心Ｃまでの距離ｈ２と等しく形成されている。
【００８２】
次に測量用ＧＰＳアンテナ１０のアンテナ機械高測定作業について説明する。図６で示した連結部材７０を用いて、測量用ＧＰＳアンテナ１０のアンテナ機械高Ｈ１を測定する場合においても、前記実施例と同様に、アンテナポール６０に連結部材７０を装着して、測量用ＧＰＳアンテナの機械高測定装置Ｓを構成して行なう。
【００８３】
まず、測量用ＧＰＳアンテナの機械高測定装置Ｓの伸縮ポール部６１における内筒６１ａの下端部に設けられた石突き６４を、基準点である測点Ｍ上に一致させる。
【００８４】
そして内筒６１ａと外筒６１ｂとを摺動させて、伸縮ポール部６１の長さを自由に調節し、連結部材７０のくびれ部７６をグランドプレーン１２の切欠き２２に係合する。
【００８５】
このとき、くびれ部７６が切欠き２２に係合されるとともに、玉部７７が切欠き２２に対し抜け止めされて、連結部材７０と、グランドプレーン１２が固定される。このようにして測量用ＧＰＳアンテナの機械高測定装置Ｓは、切欠き２２に対して、揺動中心８０を支点として揺動可能に保持される。そして、ロックナット６５を締めて、伸縮ポール部６１を固定する。
【００８６】
連結部材７０の本体７２底部から揺動支点８０までの距離ｈ３は、測量用ＧＰＳアンテナ１０の底部から機械中心Ｃまでの距離ｈ２に等しく形成されているから、表示部６６に示される数値は、アンテナポール６０の全長ｈ１に上記距離ｈ２を加えた値、即ちアンテナポール６０の全長ｈ１に距離ｈ３を加えた値であり、これは石突き６４から揺動支点８０までの長さＬ１を示していることとなる。。
【００８７】
上記長さＬ１は、揺動支点８０が機械中心Ｃを通る水平線上に位置しているときには、この値はアンテナ機械高Ｈ１を求めるための斜辺の長さＬ１を示すことになるが、揺動支点８０が機械中心Ｃを通る水平線上に位置していないときには、オフセットとしてずれ量分だけ加えて計算して斜辺Ｌ１を求めれば良い。
【００８８】
また、切欠き２２の半径αは既知の値であり、グランドプレーン１２の半径Ｌ２１も同じく既知の値である。よって、機械中心Ｃから揺動中心８０までの距離Ｌ２はＬ２＝Ｌ２１−αとして求められる。この算出された値より、次の式によりアンテナ機械高Ｈ１を求めることができる。
【００８９】
【式１】
【００９０】
上記実施例では、グランドプレーン１２の切欠き２２の形状を円弧状に形成して、この切欠き２２にくびれ部７６を係合させて玉部７７で抜け止めする構成としたが、図８及び図９で示すように、連結部材７０とグランドプレーン１２の切欠き２２の形状を他の形状に形成しても良い。
【００９１】
図１０はアンテナポール６０について他の実施例を示したものである。前記実施例では、アンテナポール６０の伸縮ポール部６１において、上部に配置した外筒６１ｂへ内筒６１ａが摺動可能に係合されている例を示したが、図１０で示すように、上端に取付部６２を有する内筒６１ａの下方に、石突き６４を備えた外筒６１ｂを配置する構成にしても良い。
【００９２】
以上のように、移動局における測量用ＧＰＳアンテナ１０のアンテナポール６０を利用して、このアンテナポール６０に連結部材７０を装着することにより、固定局における測量用ＧＰＳアンテナ１０の正確なアンテナ機械高を測定することができる。
【００９３】
また固定局におけるアンテナ機械高は１度測定すれば良く、そのときだけ連結部材７０を装着した移動局用のアンテナポール６０を利用すれば良いため、新たな装置を持ち運ぶ必要がなく、効率よく作業を進めることができる。
【００９４】
【発明の効果】
本発明によれば、固定局における三脚に載置される測量用ＧＰＳアンテナの機械高を測定するために、測量用ＧＰＳアンテナの機械高測定装置として移動局用の測量機用アンテナポールに連結部材を装着させて使用することにより、測量用ＧＰＳアンテナの機械中心を通る水平線上に位置する点から測点までの距離を直接測定することにより、正確なアンテナ機械高を得ることができ、持ち運びが便利で、且つ１人でも測量用ＧＰＳアンテナの機械高測定作業を容易に行うことができる。
【図面の簡単な説明】
【図１】本発明に係る移動局における測量用ＧＰＳアンテナとアンテナポールの説明図である。
【図２】本発明に係る固定局における測量用ＧＰＳアンテナの機械高測定装置の側面説明図である。
【図３】本発明に係る連結部材の斜視図である。
【図４】本発明の他の実施例を示す連結部材の斜視図である。
【図５】本発明の他の実施例を示す連結部材の斜視図である。
【図６】本発明のさらに他の実施例を示す連結部材の斜視図である。
【図７】図６の実施例におけるグランドプレーンの斜視図である。
【図８】本発明の他の実施例を示す連結部材の斜視図である。
【図９】図８の実施例におけるグランドプレーンの斜視図である。
【図１０】本発明の他の実施例を示すアンテナポールの説明図である。
【図１１】従来例を示す側面図である。
【符号の説明】
１０  測量用ＧＰＳアンテナ
１１  アンテナ本体
１２  グランドプレーン
１３  係合突起
２０  三脚
２１  脚頭
２２  切欠き
３０  整準台
３１  連結部
３２  係合部
３３  ねじ
４０  求心望遠鏡
６０  アンテナポール
６１  伸縮ポール部
６１ａ  内筒
６１ｂ  外筒
６１ｃ  直線目盛
６１ｄ  雄ねじ部
６１ｅ  縦スリ割り
６２  取付部
６３  ねじ
６４  石突き
６５  ロックナット
６６  表示部
７０  連結部材
７１  連結部
７１ａ  孔
７１ｂ  水平スリット
７２  本体
７３  係合突起
７４  壁部
７５  ピン連結部
７６  くびれ部
７７  玉部
７８  玉連結部
８０  揺動支点
Ｈ１  機械高
Ｍ  測点
Ｓ  測量用ＧＰＳアンテナ機械高測定装置
【図１】
0003677352.tif 000003
【図２】
0003677352.tif 000004
【図３】
0003677352.tif 000005
【図４】
0003677352.tif 000006
【図５】
0003677352.tif 000007
【図６】
0003677352.tif 000008
【図７】
0003677352.tif 000009
【図８】
0003677352.tif 000010
【図９】
0003677352.tif 000011
【図１０】
0003677352.tif 000012
【図１１】
0003677352.tif 000013